(57)【要約】【課題】縫い目を有する革製の部材を有するシューズの外観と風合いを再現する。【解決手段】シューズ１１の踵の部位の形状を安定させるための踵部材１２、足の甲を覆う甲部材１３として、糸目部４を連続的に備えた樹脂成形品が適用される。【選択図】図３
2014004118.tif 000002
【特許請求の範囲】
【請求項１】
表面に糸目を有する糸目部が連続的に備えられることで縫い目部位が形成され、縫い目部位に対して基材部位が成形されることで、基材部位に縫い目部位が存在する樹脂成形品からなる
ことを特徴とするスポーツ用品用部材。
【請求項２】
請求項１に記載のスポーツ用品用部材において、
樹脂成形品は、縫い目部位が第１樹脂により形成され、基材部位が第２樹脂により形成されている
ことを特徴とするスポーツ用品用部材。
【請求項３】
請求項１もしくは請求項２に記載のスポーツ用品用部材において、
樹脂成形品は、シューズの構成部材である
ことを特徴とするスポーツ用品用部材。
【請求項４】
請求項１もしくは請求項２に記載のスポーツ用品用部材において、
樹脂成形品は、スポーツ用品を収容する用品ケースである
ことを特徴とするスポーツ用品用部材。
【請求項５】
表面に糸目を有する糸目部が連続的に備えられることで縫い目部位が形成され、縫い目部位に対して基材部位が成形されることで、基材部位に縫い目部位が存在する樹脂成形品からなる
ことを特徴とする二輪車の小物用品用部材。
【請求項６】
請求項５に記載の二輪車の小物用品用部材において、
樹脂成形品は、縫い目部位が第１樹脂により形成され、基材部位が第２樹脂により形成されている
ことを特徴とする二輪車の小物用品用部材。
【請求項７】
請求項５もしくは請求項６に記載の二輪車の小物用品用部材において、
樹脂成形品は、二輪車の荷台に取り付けられる荷物収納ケースの構成部材である
ことを特徴とする二輪車の小物用品用部材。
【請求項８】
請求項５もしくは請求項６に記載の二輪車の小物用品用部材において、
樹脂成形品は、乗員が把持する部位に設けられるグリップ部材である
ことを特徴とする二輪車の小物用品用部材。
【発明の詳細な説明】
【技術分野】
【０００１】
本発明は、樹脂基材に対し異なる樹脂により縫い目の部位が形成された樹脂成形品からなるスポーツ用品用部材に関する。
【０００２】
本発明は、樹脂基材に対し異なる樹脂により縫い目の部位が形成された樹脂成形品からなる二輪車の小物用品用部材に関する。
【背景技術】
【０００３】
スポーツ用品であるシューズやウエア等は、機能性に加え見栄えを向上させるために、構成要素の一部に革製の部材が適用されるようになってきている。革製の部材を適用することで、見栄えの向上や感触、質感等の向上を図ることができ、シューズやウエア等としての機能以外の付加価値が高められている。シューズやウエアに限らず、各種競技の練習を行うための用具等のグリップ部や把持部等にも見栄えの向上や感触、質感等の向上を図ることが求められてきている。このため、用具等のグリップ部や把持部等に革製の部材を適用することで、外観に優れたスポーツ用品となる。
【０００４】
また、自転車やオートバイ等の二輪車の小物用品として、荷台に装着される収納ケースや収納バッグ、サドル、グリップ等は、機能性に加え見栄えを向上させるために、構成要素の一部に革製の部材が適用されるようになってきている。革製の部材を適用することで、見栄えの向上や感触、質感等の向上を図ることができ、二輪車の小物用品としての機能以外の付加価値が高められている。二輪車の小物用品のひとつとして、革製のサドルバッグが従来から提案されている（例えば、特許文献１参照）。
【０００５】
革製のスポーツ用品や二輪車の小物用品を用いることにより、見栄えや風合いを格段に向上させることができる一方、革は高価であるため、スポーツ用品や二輪車の小物用品の価格が日常品として使用する価格を越えてしまう虞があった。スポーツ用品や二輪車の小物用品は日常の使用頻度が高いため、革製品を用いた場合、革の劣化が激しく、見栄えや風合いを維持するためには、日常の手入れを怠らないようにする必要があった。
【０００６】
このため、スポーツ用品や二輪車の小物用品として革製品を用いた場合、コストが嵩むと共に、手入れの手間が増大していた。日常の使用頻度が高いスポーツ用品や二輪車の小物用品については、革製品を用いても、製品としての価値に対してコストや日常の手入れの手間が増大し、スポーツ用品や二輪車の小物用品として革製品は広く普及していないのが現状であった。
【先行技術文献】
【特許文献】
【０００７】
【特許文献１】特願平１１−１２９９５６号公報
【発明の概要】
【発明が解決しようとする課題】
【０００８】
本発明は上記状況に鑑みてなされたもので、樹脂基材と縫い目部位が独立して形成された樹脂部品を二色成形により成形した樹脂成形品からなり、縫い目を有する革を模擬した状態のスポーツ用品用部材を提供することを目的とする。
【０００９】
また、本発明は上記状況に鑑みてなされたもので、樹脂基材と縫い目部位が独立して形成された樹脂部品を二色成形により成形した樹脂成形品からなり、縫い目を有する革を模擬した状態の二輪車の小物用品用部材を提供することを目的とする。
【課題を解決するための手段】
【００１０】
樹脂成形品を用いた場合、革の風合いまでも模擬できる金型を作製するには高度の技術が必要であるが、本件出願人の金型製造技術を駆使することで、革の風合いを模擬できる金型を作製することが可能になった。また、縫い目に関しては、本件出願人が数多く手がけている、基材と図形部や文字表示部とを種類の異なる樹脂で成形する、所謂、二色成形の技術を適用することで、実際の糸目を樹脂により再現することが可能になった。
【００１１】
上記目的を達成するための請求項１に係る本発明のスポーツ用品用部材は、表面に糸目を有する糸目部が連続的に備えられることで縫い目部位が形成され、縫い目部位に対して基材部位が成形されることで、基材部位に縫い目部位が存在する樹脂成形品からなることを特徴とする。
【００１２】
請求項１に係る本発明では、縫い目部位に対して基材部位が成形されることで、縫い目部位と基材部位を独立した樹脂で成形することができ、縫い目を有する革を模擬した状態のスポーツ用品用部材とすることができる。
【００１３】
そして、請求項２に係る本発明のスポーツ用品用部材は、請求項１に記載のスポーツ用品用部材において、樹脂成形品は、縫い目部位が第１樹脂により形成され、基材部位が第２樹脂により形成されていることを特徴とする。
【００１４】
請求項２に係る本発明では、縫い目部位と基材部位を異なる樹脂（材質や色等）で成形することができ、異色の糸目を備えたり、異色で風合いの異なる糸目を備えたり等の樹脂成形品のスポーツ用品用部材を得ることができる。
【００１５】
また、請求項３に係る本発明のスポーツ用品用部材は、請求項１もしくは請求項２に記載のスポーツ用品用部材において、樹脂成形品は、シューズの構成部材であることを特徴とする。
【００１６】
また、請求項４に係る本発明のスポーツ用品用部材は、請求項１もしくは請求項２に記載のスポーツ用品用部材において、樹脂成形品は、スポーツ用品を収容する用品ケースであることを特徴とする。
【００１７】
本発明の樹脂成形品のスポーツ用品用部材を適用することができるスポーツ用品としては、各種ウエアのワッペン、キャップ、球技、陸上スポーツ、海上スポーツ、空中スポーツ、山岳スポーツ、屋内スポーツ、武道、季節競技等、あらゆるスポーツの用品を適用することができる。例えば、サーフ用ボード、スノー用ボード、スキューバダイビング用の機材、野球用品、サッカー用品、ゴルフ用品、ランニング用品等、種々のスポーツ用品の部材として適用することができる。
【００１８】
上記目的を達成するための請求項５に係る本発明の二輪車の小物用品用部材は、表面に糸目を有する糸目部が連続的に備えられることで縫い目部位が形成され、縫い目部位に対して基材部位が成形されることで、基材部位に縫い目部位が存在する樹脂成形品からなることを特徴とする。
【００１９】
請求項５に係る本発明では、縫い目部位に対して基材部位が成形されることで、縫い目部位と基材部位を独立した樹脂で成形することができ、縫い目を有する革を模擬した状態の二輪車の小物用品部材とすることができる。
【００２０】
そして、請求項６に係る本発明の二輪車の小物用品用部材は、請求項５に記載の二輪車の小物用品用部材において、樹脂成形品は、縫い目部位が第１樹脂により形成され、基材部位が第２樹脂により形成されていることを特徴とする。
【００２１】
請求項６に係る本発明では、縫い目部位と基材部位を異なる樹脂（材質や色等）で成形することができ、異色の糸目を備えたり、異色で風合いの異なる糸目を備えたり等の樹脂成形品の二輪車の小物用品用部材を得ることができる。
【００２２】
また、請求項７に係る本発明の二輪車の小物用品用部材は、請求項５もしくは請求項６に記載の二輪車の小物用品用部材において、樹脂成形品は、二輪車の荷台に取り付けられる荷物収納ケースの構成部材であることを特徴とする。
【００２３】
また、請求項８に係る本発明の二輪車の小物用品用部材は、請求項５もしくは請求項６に記載の二輪車の小物用品用部材において、樹脂成形品は、乗員が把持する部位に設けられるグリップ部材であることを特徴とする。
【００２４】
本発明の二輪車の小物用品用部材を適用することができる小物用品としては、オートバイ用のナビを収容するケースや、サイクルコンピュータや水筒等を保持するための保持具、自転車のフェンダー（泥除け）、携帯前照灯具の保持具、自転車のサドル、サドルカバー等、二輪車用のあらゆる用品に適用することができる。
【発明の効果】
【００２５】
本発明のスポーツ用品用部材は、樹脂基材と縫い目部位が独立して形成された樹脂部品を二色成形により成形した樹脂成形品からなり、縫い目を有する革を模擬した状態のスポーツ用品用部材とすることが可能になる。
【００２６】
本発明の二輪車の小物用品用部材は、樹脂基材と縫い目部位が独立して形成された樹脂部品を二色成形により成形した樹脂成形品からなり、縫い目を有する革を模擬した状態の二輪車の小物用品用部材とすることが可能になる。
【図面の簡単な説明】
【００２７】
【図１】本発明の一実施例に係る樹脂成形品の外観図である。
【図２】本発明の他の実施例に係る樹脂成形品の外観図である。
【図３】スポーツ用品用部材を適用したシューズの外観図である。
【図４】スポーツ用品用部材を適用した用具ケースの外観図である。
【図５】二輪車の小物用品用部材を適用した荷物ケースの外観図である。
【図６】二輪車の小物用品用部材を適用したグリップの外観図である。
【発明を実施するための形態】
【００２８】
図１、図２に基づいて樹脂成形品の一例を説明する。
【００２９】
図１、図２（ａ）にはスポーツ用品用部材、二輪車の小物用品用部材に適用される樹脂成形品の外観状況、図１、図２（ｂ）には樹脂成形品の分解斜視状況を示してあり、図１は表面に糸目が配された樹脂成形品、図２は表面に糸目が配されると共にインステッチ（縫製糸）が形成された樹脂成形品である。
【００３０】
図１、図２に示すように、樹脂部品１は革を模擬した状態の樹脂成形品で、樹脂部品１は、基になる基材部位２に対し異なる色の縫い目部位３が存在する樹脂成形品である。そして、縫い目部位３には、糸目部４が連続して多数形成され、糸目部４の表面には糸目５が形成されている。
【００３１】
糸目部４に接触する部位の基材部位２には沈み面８が設けられている。即ち、糸目部４の周囲の基材部位２の表面は、沈み面８により他の部位に比べて凹んだ状態にされ、革製のシートが縫い合わされ、縫い目の部位が糸により沈み込んだ状態になっている。
【００３２】
このため、表面に糸目５が形成された縫い目部位３（糸目部４）を有する樹脂部品を二色成形により成形することができる。従って、基材部位２の部分の色合いと縫い目の糸目部４の色合いを変えた状態で、革を模擬した樹脂部品１を得ることができる。
【００３３】
図２に示すように、縫い目部位３にインステッチ６を形成することも可能である。インステッチ６を形成することにより、立体形状の革を模擬した樹脂部品１を得ることができる。
【００３４】
樹脂部品１を成形する場合、縫い目部位３の成形（一次成形）と縫い目部位３が金型面とされた状態での基材部位２の成形（二次成形）とを行う。つまり、第１樹脂により縫い目部位３が成形され、その後、縫い目部位３を金型面の一部として第２樹脂により基材部位２が成形される（二色成形）。
【００３５】
第１樹脂と第２樹脂を用いて二色成形を実施することで、基材部位２の部分の色合いと糸目部４の色合いを変えた状態で、縫い目を有する革を模擬した樹脂部品１を得ることができる。
【００３６】
図３、図４に基づいて樹脂部品１（図１、図２の何れか、もしくは、部位によって併用）が用いられるスポーツ用品用部材の例を説明する。
【００３７】
図３にはスポーツ用品用部材をシューズの構成部材に適用した例を示してある。
【００３８】
図３に示すように、シューズ１１には、例えば、踵の部位の形状を安定させるための踵部材１２が設けられ、また、足の甲を覆う甲部材１３が設けられている。スポーツ用品用部材としての踵部材１２及び甲部材１３として、図１もしくは図２に示した樹脂部品１が適用される。例えば、踵部材１２、甲部材１３の任意の箇所（周囲等）に糸目部４が連続して配されている。シューズ１１の大きさや形状、使用目的等により、樹脂の種類、色を選択することで、縫い目を有する革製の踵部材、甲部材を備えたシューズの外観と風合いを再現することができる。
【００３９】
シューズ１１の踵部材１２、甲部材１３は、革製の部材の外観と風合いを再現した樹脂成形品で形成されているため、低コストで革製の踵部材１２、甲部材１３を備えたシューズ１１の外観と風合いを得ることができ、風雨に晒されても水や埃等の汚れを簡単に落とすことができ、革製の外観と風合いを持たせて製品としての価値を向上させても、コストや日常の手入れの手間が増大することがない。この結果、見栄えと実用性を両立したシューズを得ることが可能になる。
【００４０】
図４にはスポーツ用品用部材を用具ケースに適用した例を示してある。
【００４１】
図４に示すように、スポーツ用具の持ち運びや収納のため、スポーツ用具（例えば、ラケットやバット等）がスポーツ用品用部材としての用具ケース１５に収容される。用具ケース１５は、開口を開閉するための開閉部材１６と、袋状の収容部１７を備えている。スポーツ用品用部材としての収容部１７に、図１もしくは図２に示した樹脂部品１が適用される。例えば、収容部１７の面の周囲部位及び周囲部位の対角線の部位に糸目部４が連続して配されている。樹脂の種類、色を選択することで、縫い目を有する革製の用具ケースの外観と風合いを再現することができる。
【００４２】
縫い目を有する革を模擬した樹脂部品で収容部１７を構成した用具ケース１５としたので、低コストで革製の用具ケースの外観と風合いを得ることができ、しかも、汚れ等を簡単に落とすことができ、コストや日常の手入れの手間が増大することがない。この結果、見栄えと実用性を両立した用具ケースを得ることが可能になる。
【００４３】
尚、スポーツ用品部材を適用するスポーツ用品として、上述したシューズ１１、用具ケース１５の他に、各種ウエアのワッペン、キャップ、球技、陸上スポーツ、海上スポーツ、空中スポーツ、山岳スポーツ、屋内スポーツ、武道、季節競技等、あらゆるスポーツの用品を適用することができる。例えば、サーフ用ボード、スノー用ボード、スキューバダイビング用の機材、野球用品、サッカー用品、ゴルフ用品、ランニング用品等、種々のスポーツ用品の部材として適用することができる。
【００４４】
図５、図６に基づいて樹脂部品１（図１、図２の何れか、もしくは、部位によって併用）が用いられる二輪車の小物用品用部材の例を説明する。
【００４５】
図５には二輪車の小物用品用部材を荷物ケースに適用した例を示してある。
【００４６】
図５に示すように、オートバイ２１の荷台２２には、ハードケース型の荷物ケース２３が固定されている。荷物ケース２３は、内部に荷物が収容される本体部２４と、本体部２４を開閉する蓋部２５により構成されている。二輪車の小物用品用部材として、本体部２４及び蓋部２５に、図１もしくは図２に示した樹脂部品１が適用される。例えば、本体部２４及び蓋部２５の任意の箇所（周囲等）に糸目部４が連続して配されている。荷物ケース２３大きさ等により、樹脂の種類、色を選択することで、縫い目を有する革製の荷物ケースの外観と風合いを再現することができる。
【００４７】
荷物ケース２３は、革製の荷物ケースの外観と風合いを再現した樹脂成形品で形成されているため、低コストで革製の荷物ケースの外観と風合いを得ることができ、風雨に晒されても水や埃等の汚れを簡単に落とすことができ、革製の外観と風合いを持たせて製品としての価値を向上させても、コストや日常の手入れの手間が増大することがない。この結果、見栄えと実用性を両立した荷物ケースを得ることが可能になる。
【００４８】
図６には二輪車の小物用品用部材を二輪車用のグリップに適用した例を示してある。
【００４９】
図６に示すように、二輪車に乗員が乗った際に、乗員が把持する部位には、二輪車の小物用品用部材として、グリップ２７が設けられることがある。グリップ２７はすり割部２８を備えた筒状とされ、すり割部２８を介して二輪車の把持部位に装着される。グリップ２７に、図１もしくは図２に示した樹脂部品１が適用される。例えば、すり割部２８を形成する部位の端部に、すり割部２８に沿った方向に、及び、すり割部２８に交差した方向に、糸目部４が複数連続して配されている。樹脂の種類、色を選択することで、縫い目を有する革製のグリップの外観と風合いを再現することができる。
【００５０】
尚、糸目部４はグリップ２７の任意の面に任意の方向に任意の数を形成することが可能である。
【００５１】
グリップ２７は、革製のグリップの外観と風合いを再現した樹脂成形品で形成されているため、低コストで革製のグリップの外観と風合いを得ることができ、風雨に晒されても、汚れたれた手で把持されても、水や汚れを簡単に落とすことができ、革製の外観と風合いを持たせて製品としての価値を向上させても、コストや日常の手入れの手間が増大することがない。この結果、見栄えと実用性を両立したグリップを得ることが可能になる。
【００５２】
尚、二輪車の小物用品用部材として、上述した荷物ケース２３、グリップ２７の他に、オートバイ用のナビを収容するケースや、サイクルコンピュータや水筒等を保持するための保持具、自転車のフェンダー（泥除け）、携帯前照灯具の保持具、自転車のサドル、サドルカバー等、二輪車のあらゆる小物用品に適用することができる。
【産業上の利用可能性】
【００５３】
本発明は、樹脂基材に対し異なる樹脂により縫い目の部位が形成された樹脂成形品からなるスポーツ用品用部材の産業分野で利用することができる。
【００５４】
本発明は、樹脂基材に対し異なる樹脂により縫い目の部位が形成された樹脂成形品からなる二輪車の小物用品用部材の産業分野で利用することができる。
【符号の説明】
【００５５】
１  樹脂部品
２  基材部位
３  縫い目部位
４  糸目部
５  糸目
６  インステッチ
８  沈み面
１１  シューズ
１２  踵部材
１３  甲部材
１５  用具ケース
１６  開閉部材
１７  収容部
２１  オートバイ
２２  荷台
２３  荷物ケース
２４  本体部
２５  蓋部
２７  グリップ
２８  すり割部
【図１】
2014004118.tif 000003
【図２】
2014004118.tif 000004
【図３】
2014004118.tif 000005
【図４】
2014004118.tif 000006
【図５】
2014004118.tif 000007
【図６】
2014004118.tif 000008